(57)【要約】【課題】幅の狭い隙間にも、広い隙間にもフィットして清掃を効率的に行なうことができる掃除具を提供する。【解決手段】清掃用シート３０が装着される掃除具本体部１０と、掃除具本体部１０に連結される把手２０と、を備えた掃除具１において、掃除具本体部１０は、上方に凸となるよう所定の角度折り曲げられた一枚の可撓性板体１１を備えて構成され、当該掃除具本体部１０は、上方向からの押力によって前記角度が大きくなるよう展開され、左右方向からの押力によって前記角度が小さくなるように圧縮される。【選択図】図１
2011177208.tif 000002
【特許請求の範囲】
【請求項１】
清掃用シートが装着される掃除具本体部と、
前記掃除具本体部に連結される把手と、を備えた掃除具において、
前記掃除具本体部は、上方に凸となるよう所定の角度折り曲げられた一枚の可撓性板体を備えて構成され、
当該掃除具本体部は、上方向からの押力によって前記角度が大きくなるよう展開され、左右方向からの押力によって前記角度が小さくなるように圧縮されることを特徴とする掃除具。
【請求項２】
前記可撓性板体には、中央部に折り線が設けられていることを特徴とする請求項１に記載の掃除具。
【請求項３】
前記可撓性板体の表面には、前記清掃用シートを係止する係止部が設けられていることを特徴とする請求項１又は２に記載の掃除具。
【請求項４】
前記所定の角度は、３０°〜１２０°の範囲内の値であることを特徴とする請求項１〜３の何れか一項に記載の掃除具。
【発明の詳細な説明】
【技術分野】
【０００１】
本発明は、掃除具に関する。
【背景技術】
【０００２】
従来、清掃用シートが装着される掃除具本体部と、掃除具本体部に連結される把手と、を備えた掃除具が知られている。
このような掃除具においては、清掃用シートが装着される掃除具本体をしなり易い状態としなり難い状態とに切り替えることが可能な掃除具が提案されている（例えば、特許文献１参照。）。
また、清掃用シートが装着される掃除具本体が押圧によって適度なしなりを生じるように、当該掃除具本体の厚みを調整した掃除具が提案されている（例えば、特許文献２参照。）。
【先行技術文献】
【特許文献】
【０００３】
【特許文献１】特開２００７−６８７７２号公報
【特許文献２】特開２００３−２６５３９１号公報
【発明の概要】
【発明が解決しようとする課題】
【０００４】
しかしながら、特許文献１、２記載の掃除具では、掃除具本体は平面板状であって、清掃用シートはその本体部分のしなりに追従するだけなので、清掃する隙間が清掃用シートの厚さより広い場合には、清掃用シートが隙間を形成する二面にフィットすることができず、隙間を形成する二面を別々に清掃する必要があった。
【０００５】
本発明の課題は、幅の狭い隙間にも、広い隙間にもフィットして清掃を効率的に行なうことができる掃除具を提供することである。
【課題を解決するための手段】
【０００６】
上記課題を解決するために、請求項１に記載の発明は、
清掃用シートが装着される掃除具本体部と、
前記掃除具本体部に連結される把手と、を備えた掃除具において、
前記掃除具本体部は、上方に凸となるよう所定の角度折り曲げられた一枚の可撓性板体を備えて構成され、
当該掃除具本体部は、上方向からの押力によって前記角度が大きくなるよう展開され、左右方向からの押力によって前記角度が小さくなるように圧縮されることを特徴とする。
【０００７】
また、請求項２に記載の発明は、請求項１に記載の掃除具において、
前記可撓性板体には、中央部に折り線が設けられていることを特徴とする。
【０００８】
また、請求項３に記載の発明は、請求項１又は２に記載の掃除具において、
前記可撓性板体の表面には、前記清掃用シートを係止する係止部が設けられていることを特徴とする。
【０００９】
また、請求項４に記載の発明は、請求項１〜３の何れか一項に記載の掃除具において、
前記所定の角度は、３０°〜１２０°の範囲内の値であることを特徴とする。
【発明の効果】
【００１０】
本発明によれば、掃除具本体部は、一枚の可撓性板体を上方に凸となるよう所定の角度折り曲げることによって成形され、使用時において当該掃除具本体部は、上方向からの押力によって前記角度が大きくなるよう展開され、左右方向からの押力によって前記角度が小さくなるように圧縮されるように構成されている。
よって、掃除具本体部は、左右方向にも上下方向にも幅をもった形状であるため、隙間を形成する二面を一度に清掃することができる。
また、掃除具本体部は、隙間の幅に合わせて縦横に変形することとなり、幅の狭い隙間にも、広い隙間にもフィットすることができる。
このため、清掃作業をより効率的に行うことができる。
【図面の簡単な説明】
【００１１】
【図１】本実施形態の掃除具の一例を示す斜視図である。
【図２】図１の掃除具の分解斜視図である。
【図３】本実施形態の掃除具を用いて隙間を清掃している状態の一例を示す図である。
【図４】本実施形態の掃除具を用いて隙間を清掃している状態の一例を示す図である。
【図５】本実施形態の掃除具を用いて隙間を清掃している状態の一例を示す図である。
【図６】本実施形態の変形例の一例を示す図である。
【図７】本実施形態の変形例の一例を示す図である。
【図８】本実施形態の変形例の一例を示す図である。
【発明を実施するための形態】
【００１２】
以下に、図を参照して、本発明の実施の形態を詳細に説明する。ただし、発明の範囲は、図示例に限定されない。
【００１３】
本発明に係る掃除具１は、例えば、室内や車内などで埃を除去する清掃作業などに用いられるハンディモップである。
なお、以下の説明では、掃除具１において、長手方向一端側を後側、他端側を前側とし、短手方向一端側を左側、他端側を右側とし、前後方向及び左右方向の双方に直交する方向を上下方向とする。
【００１４】
掃除具１は、例えば、図１、２に示すように、掃除具本体部１０と、掃除具本体部１０に連結された把手２０と、掃除具本体部１０に装着される清掃用シート３０と、を備えている。
【００１５】
掃除具本体部１０は、表面（上面及び下面）の略全体を覆うように清掃用シート３０が装着され、その表面の略全体により清掃面を構成するものである。
掃除具本体部１０は、例えば、図２に示すように、上方に凸となるよう所定の角度折り曲げられた一枚の可撓性板体１１を備えて構成されている。
可撓性板体１１は、中央部に前後方向に沿って折り線１２が設けられた前後方向に長尺な矩形状のシート材からなり、その折り線１２に沿って折り曲げられることで、上方に凸となるよう所定の角度折り曲げられた形状に成形される。可撓性板体１１の後端部の中央（折り線１２の後端部）には、把手２０の取付け部２１が固定されている。
【００１６】
この可撓性板体１１は、折り線１２に沿って頂角Ｒが、例えば、３０°〜１２０°の所定の角度となるよう折り曲げられることにより断面視三角形状を成し、折り線１２を起点として、上方から押力が掛かった場合には頂角Ｒの角度が大きくなるよう展開され、左右方向から押力が掛かった場合には頂角Ｒの角度が小さくなるように圧縮され、更に押力が外れた場合には頂角Ｒが元の角度に復元する可撓性を有している。
なお、折り線１２を設けることにより、例えば樹脂量が少なく薄い板であってもコシをつけてしなり方を制御できるようになっている。
【００１７】
具体的に、可撓性板体１１に上方向から例えば自重の２〜２０倍の加重を掛けると、図４（ａ）に示すように、力の大きさに応じて頂角Ｒが元の角度より開きつつしなり、加重を外すと、図４（ｂ）に示すように、元の角度に復元する。
また、可撓性板体１１に左右方向から自重の２倍以上の加重を掛けると、図５（ａ）に示すように、力の大きさに応じて頂角Ｒが元の角度より閉まりつつしなり、加重を外すと、図５（ｂ）に示すように、元の角度に復元する。
なお、頂角Ｒの元の角度が３０°未満であると展開させる時に開きづらく、１２０°より大きいと圧縮させるときに閉まりづらくなるため、成形時には角度を３０°〜１２０°の範囲内の値とすることが好ましい。
掃除具本体部１０は、このような可撓性板体１１から構成されることにより、被清掃部である隙間に入り込んだ場合に、隙間の形状に追従して横方向（左右方向）及び縦方向（上下方向）に頂角Ｒの角度を変えることで変形し、隙間の形状にフィットするようになっている。
【００１８】
また、可撓性板体１１に用いられる材質としては、例えば、ポリエチレン、ポリプロピレン、ポリエチレンテレフタレート、ＡＢＳ（Acrylonitrile Butadiene Styrene）樹脂、ポリスチレン、等の熱可塑性樹脂が挙げられる。これらは単独で、或いは２種以上を組み合わせて用いることができる。また、上記樹脂材の他にも、例えば、木材、金属板、紙、樹脂含有紙、ゴム状板、などを用いることとしても良い。
また、可撓性板体１１は、全体が同じ材質でも良いし、しなり方等を制御するため部分的に上記の材質を組み合わせることとしても良い。
具体的には、例えば、可撓性板体１１の縁部の材料として中央部よりも柔らかい材質のものを用いることで、所望のしなり性を確保しつつ、縁部が被清掃部に当たっても被清掃部を傷付けないようにすることができる。
また、可撓性板体１１を、例えば、３層構造にして、中層部に硬い材質のものを用い、表層部に中層部よりも柔らかい材質のものを用いてしなり方を調整しても良い。
【００１９】
ここで、樹脂又はゴム状板を用いる場合には、インジェクションやブローで金型に入れて成型したり、塊を切削やキャスト法等で製板した後に加熱成型や真空成型したりすることで可撓性板体１１を作製することができる。
また、木材を用いる場合には、板材に熱をかけて折り曲げた状態で固定したり、塊から削り出したりすることで作製することができる。
また、金属板を使用する場合には、板材をプレス加工又は折り曲げ加工することにより可撓性板体１１を作製することができる。
また、樹脂含有紙を用いる場合には、紙を所定の形状とした状態で溶融樹脂を含浸し冷却したり、或いは紙を樹脂含有紙とした後に加熱成型することにより可撓性板体１１を作製することができる。
【００２０】
把手２０は、図１、２に示すように、掃除具本体部１０に固定するための取付け部２１と、掃除時に握るための把持部２２とで構成されている。
取付け部２１は、その一端部が掃除具本体部１０の後端部の中央に固定され、他端部が把持部２２に固定された棒状部材である。なお、取付け部２１の長さは適宜設定される。
把持部２２は、取付け部２１の根元から後上方に延びる形状であり、使い勝手の観点から例えば１０〜２０ｃｍ程度の長さに形成されている。
【００２１】
なお、このような把手２０に用いられる材質については特に制限はなく、例えば、ポリエチレン、ポリプロピレン、ポリエチレンテレフタレート、ＡＢＳ樹脂、ポリスチレン、等の熱可塑性樹脂や、木材、紙、樹脂含有紙、ゴム状板、金属、などを用いて作製することができる。
具体的な作製方法としては、掃除具本体部１０と同様の方法を適用可能である。
【００２２】
清掃用シート３０は、掃除具１の掃除具本体部１０に装着して用いる、取り替え式の清掃用シートである。
清掃用シート３０は、例えば、図１、２に示すように、挿入部３０ａから掃除具本体部１０を差し込むことによって、掃除具本体部１０の略全体を覆うように装着されて使用される。
清掃用シート３０は、被清掃部にゴミ等の固形状汚れがある場合、主に繊維集合体３２で当該固形状汚れを絡め取ることによって、当該固形状汚れを取り去るようになっている。
【００２３】
具体的に、清掃用シート３０は、例えば、図２に示すように、モップ状の清掃用シートであり、互いに重ね合わされた２枚の基材シート３１と、基材シート３１の一方の面（外面）に接合され、繊維３２１，…が集合してなる繊維集合体３２と、を備えて構成される。
【００２４】
基材シート３１，３１は、例えば、前後方向に長尺な矩形状を成しており、繊維集合体３２で覆われていない面同士が対向するように重ね合わされて、長手方向他端部（前端部）と短手方向両端部（左端部及び右端部）とを接着することによって、長手方向一端部（後端部）を開口部（挿入部３０ａ）とした袋状に形成されている。
なお、基材シート３１，３１は、掃除具本体部１０を差し込むことによって、掃除具本体部１０の形状に追従して上方に凸となるよう所定の角度折り曲げられた状態に変形する。
【００２５】
基材シート３１は、所定の繊維を繊維素材として、例えば、スパンレース、エアスルー、エアレイド、ポイントボンド、スパンボンド、ニードルパンチ等の周知の技術により製造される不織布である。所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維、アクリル繊維、獣毛、羽、等が挙げられる。これらは単独で、或いは２種以上を組み合わせて用いることができる。なお、基材シート３１は、不織布に限ることはなく、シートであれば任意であり、例えば、織布であっても良い。
【００２６】
繊維集合体３２は、繊維３２１，…が所定の接合手段により基材シート３１に接合されることによって、形成されている。所定の接合手段としては、例えば、ホットメルト等の公知の接着剤、ヒートシール、超音波シール、縫製、ステープラ、植毛が挙げられる。これらは単独で、或いは２種以上を組み合わせて用いることができる。ここで、繊維３２１は、複数の繊維が集合してなる繊維束（トウ）をなしていることとする。
【００２７】
また、繊維集合体３２は、所定の繊維で形成された繊維束状の繊維３２１が集合してなるものである。所定の繊維としては、例えば、レーヨン、リヨセル、テンセル、コットン等のセルロース系繊維、ポリエチレン、ポリプロピレン、ポリビニルアルコール等のポリオレフィン系繊維、ポリエチレンテレフタレート、ポリブチレンテレフタレート等のポリエステル繊維、ナイロン等のポリアミド系繊維、アクリル繊維、獣毛、羽、等が挙げられる。これらは単独で、或いは２種以上を組み合わせて用いることができる。
【００２８】
次に、掃除具１の使用方法について説明する。
【００２９】
まず、清掃用シート３０の挿入部３０ａから掃除具本体部１０を挿入することによって、清掃用シート３０を掃除具本体部１０に装着する。
そして、ユーザは、清掃用シート３０が装着された掃除具１の把持部２２を握り、清掃用シート３０で被清掃部を拭き掃除する。
このとき、掃除具本体部１０は、被清掃部が有する隙間（家具と家具との間の隙間や家具と壁との間の隙間）に入り込んで、当該隙間を清掃できるようになっている。
【００３０】
例えば、図３に示すように、隙間の幅が掃除具本体部１０の上下方向の寸法程度である場合、当該隙間に掃除具本体部１０を差し込むと、掃除具本体部１０の上面及び下面において、一度に隙間の上面及び下面を清掃することができる。
即ち、掃除具本体部１０は、左右方向にも上下方向にも幅をもった形状であるため、隙間を形成する二面を一度に清掃することができる。
【００３１】
また、例えば、図４（ａ）に示すように、隙間の幅が掃除具本体部１０の上下方向の寸法より狭い場合、当該隙間に掃除具本体部１０を差し込むと、掃除具本体部１０は隙間の形状に沿って頂角Ｒが広がるように変形（展開）し、掃除具本体部１０の上面及び下面において、隙間の上面及び下面を清掃する。このとき、展開時の反発力により掃除具本体部１０は隙間に好適にフィットする。
そして、清掃後に隙間から掃除具１を引き出すと、図４（ｂ）に示すように、掃除具本体部１０は元の形状に変形（復元）する。なお、この場合、掃除具本体部１０は展開した状態から元の状態に復元するので、掃除具本体部１０の下面による塵や埃等の捕集効果が高い。
【００３２】
また、例えば、図５（ａ）に示すように、隙間が掃除具本体部１０に対して縦長である場合、当該隙間に掃除具本体部１０を差し込むと、掃除具本体部１０は隙間の形状に沿って頂角Ｒが狭まるように変形（圧縮）し、掃除具本体部１０の左面及び右面において、隙間の左面及び右面を清掃する。このとき、圧縮時の反発力により掃除具本体部１０は隙間に好適にフィットする。
そして、清掃後に隙間から掃除具本体部１０を引き出すと、図５（ｂ）に示すように、掃除具本体部１０は元の形状に変形（復元）する。
【００３３】
また、図示は省略するが、掃除具本体部１０を圧縮変形させた状態で、棒状やコード状の対象物を掃除具本体部１０の内側（折り線の内角側）に抱え込むようにして拭き掃除することができる。
また、元の形状を維持したまま清掃を行いたい場合には、図示は省略するが、掃除具１（掃除具本体部１０）を上下逆向きとして用いることもできる。即ち、掃除具本体部１０が断面視逆三角形状となった状態で用いることができる。このようにして、ユーザが把手２０に対して上方から下方に押圧を掛けた場合、逆三角形状の掃除具本体部１０の頂角Ｒ付近に力が加わるだけなので掃除具本体部１０の形状が変形することがなく、上下方向の寸法を保ったまま清掃を行うことができる。
【００３４】
以上のように、本発明の掃除具１によれば、掃除具本体部１０は、一枚の可撓性板体を上方に凸となるよう所定の角度折り曲げることによって成形され、使用時において当該掃除具本体部は、上方向からの押力によって前記角度が大きくなるよう展開され、左右方向からの押力によって前記角度が小さくなるように圧縮されるように構成されている。
よって、掃除具本体部１０は、左右方向にも上下方向にも幅をもった形状であるため、隙間を形成する二面を一度に清掃することができる。
また、掃除具本体部１０は、隙間の幅に合わせて縦横に変形することとなり、幅の狭い隙間にも、広い隙間にもフィットすることができる。即ち、掃除具本体部１０は、左右方向（水平方向）だけでなく、上下方向（垂直方向）にも変形するため、隙間への追従性が高く、幅の狭い隙間にも、広い隙間にも好適にフィットすることができる。
このため、清掃作業をより効率的に行うことができる。
【００３５】
また、本発明の掃除具１によれば、掃除具本体部１０には、中央部に折り線１２が設けられているため、掃除具本体部１０が変形する際に当該折り線１２が起点となり、掃除具本体部１０の変形をスムーズに行うようにすることができる。つまり、折り線１２が設けられているため、例えば樹脂量が少なく薄い板であってもコシをつけてしなり方を制御できることとなり、コストダウンすることができる。
【００３６】
また、本発明の掃除具１によれば、一枚の可撓性板体が、３０°〜１２０°の範囲内の所定の角度を成すように折り曲げられているため、掃除具本体部１０の展開及び圧縮の変形をスムーズに行うようにすることができる。
【００３７】
なお、上記実施形態において、可撓性板体１１は、折り線１２に沿って所定の角度折り曲げられた状態に成形されたものとして説明しているが、ここで「折り曲げられた状態」とは、可撓性板体１１の左辺部及び右辺部が対向するように成形されていれば良く、例えば頂角Ｒを丸く加工した、所謂Ｒ加工により形成されていても良い。
また、折り線１２を可撓性板体１１の中央部の前後方向に沿った仮想線とし、この折り線１２を境として可撓性板体１１を左右に湾曲させることで所定の角度に屈折させた断面視円弧形状の場合なども「折り曲げられた状態」に含むことができる。
【００３８】
＜変形例１＞
変形例１の掃除具２は、例えば、図６に示すように、可撓性板体１１の表面に、清掃用シート３０Ａを係止する係止部１３を設けた掃除具本体部１０Ａを備えている。
係止部１３は、例えば、可撓性板体１１の表面に付設した面ファスナなどの接着部材であり、掃除具本体部１０Ａの上面及び下面のそれぞれにおいて、係止部１３の外面に、基材シート３１及び繊維集合体３２からなる清掃用シート３０Ａが付着する構成となっている。このとき、係止部１３の形状に特に制限はないが、少なくとも可撓性板体１１の周縁部に沿って設けることが好ましい。
【００３９】
なお、係止部１３の構成はこれに限定されるものではなく、これ以外にも、例えば、可撓性板体１１の表面に針や毛状の突起部を係止部として設け、清掃用シート３０Ａ全体を突き刺して突起部の先端を清掃用シート３０Ａから露出させるようにすることで、清掃用シート３０Ａを取り付けることとしても良い。
また、可撓性板体１１の表面にクリップ、マグネット、紐、ゴム、等を用いた係止部を設け、清掃用シート３０Ａを取り付けることとしても良い。
【００４０】
＜変形例２＞
変形例２の掃除具３は、例えば、図７に示すように、前後方向に長尺な可撓性板体１１Ａと、可撓性板体１１Ａをその中央部から折り曲げるための折り曲げ部１４と、を備えた掃除具本体部１０Ｂを備えている。
可撓性板体１１Ａは、その前後方向中央部において折り曲げ部１４により折り曲げられた場合、その前端部及び後端部が重畳するようになっている。折り曲げ部１４は、例えば、蝶番等により構成される。
従って、可撓性板体１１Ａの下面に清掃用シート３０Ｂを装着した状態において、当該可撓性板体１１Ａを折り曲げることで、使用時においては、掃除具本体部１０Ｂの上面及び下面が清掃用シート３０Ｂにより覆われることとなる。
【００４１】
＜変形例３＞
変形例３の掃除具４は、例えば、図８に示すように、可撓性板体１１Ｂが所定の角度を成すように固定する固定部材１５を備えた掃除具本体部１０Ｃを備えている。
固定部材１５は、例えば、３０°〜１２０°の所定の角度に折り曲げられ、両端部に固定用爪１５１，１５１を有する硬質部材であって、可撓性板体１１Ｂの溝部１１１，１１１に固定用爪１５１，１５１を係止させることで、可撓性板体１１Ｂが成す角度を固定させる。
この場合、可撓性板体１１Ｂは平面状となっており、使用前の時点では所定の角度を成していない。そして、使用時に、固定部材１５により所定の角度を成すように固定されることで可撓性板体１１Ｂは断面視三角形状を成す。
なお、固定部材１５は、清掃時の可撓性板体１１Ｂの開閉動作を妨げないように、図８に示すように、可撓性板体１１Ｂの後方部に備えることが好ましい。
また、固定部材１５は、可撓性板体１１Ｂが所定の角度を成すように固定できるものであれば、その形状や材質等は特に限定されない。また、可撓性部材であっても硬質部材であっても適用可能である。
変形例３の掃除具４は、このような構成により、使用時に立体形に組み立てることが可能であるので、未使用時には平面状にして収納することが可能である。
【００４２】
また、上記実施形態及び変形例１〜３においては、清掃用シート３０、３０Ａ、３０Ｂとしてモップ状の清掃用シートを例示して説明したが、清掃用シート３０、３０Ａ、３０Ｂはこれに限定されず、例えば、基材シートのみからなる清掃用シートを用いることとしても良い。
このような清掃用シートは、袋状又は筒状として装着しても良いし、掃除具本体部を包むように折り返して装着しても良い。
また、使用時における可撓性板体１１、１１Ａ、１１Ｂの上面及び下面に、それぞれ異なる材質であったり、異なる機能を有する清掃用シートが配されるようにしても良い。例えば、基材シートのみからなる清掃用シート、基材に切り込みや伸縮性等の加工を施したシート、モップ状の清掃用シート、等を適宜選択して上面及び下面にそれぞれ配することができる。また、例えば、上面をドライタイプの清掃用シートとし、下面をウエットタイプの清掃用シートとすることもできる。
【符号の説明】
【００４３】
１、２、３、４  掃除具
１０、１０Ａ、１０Ｂ、１０Ｃ  掃除具本体部
１１、１１Ａ、１１Ｂ  可撓性板体
１２  折り線
１３  係止部
１４  折り曲げ部
１５  固定部材
２０  把手
２１  取付け部
２２  把持部
３０、３０Ａ、３０Ｂ  清掃用シート
３０ａ  挿入部
３１  基材シート
３２  繊維集合体
【図１】
2011177208.tif 000003
【図２】
2011177208.tif 000004
【図３】
2011177208.tif 000005
【図４】
2011177208.tif 000006
【図５】
2011177208.tif 000007
【図６】
2011177208.tif 000008
【図７】
2011177208.tif 000009
【図８】
2011177208.tif 000010